(57)【特許請求の範囲】
【請求項１】
筐体に取り付けられた配電盤扉において、
透明なフロントパネルと、
棒状に形成され、横方向の任意の位置に機器を取り付け可能な機器取付バーと、
前記機器取付バーを縦方向の任意の位置で保持可能な縦方向可動機構を有し、前記フロントパネルの内面に設置されるフレームと、
前記フロントパネルと前記フレームとの間に、前記機器が取り付けられた箇所に対応する部分が切り抜き加工されて取り付けられたマスクシートと
を具備することを特徴とする配電盤扉。
【請求項２】
前記フレームの縦方向可動機構は、枠状、または、前記フロントパネルの内面の左右両サイドに縦方向の柱状に形成されている
ことを特徴とする請求項１に記載の配電盤扉。
【請求項３】
前記機器取付バーは、Ｃ字型、コの字型、またはＬ字型の横長形状に形成されている
ことを特徴とする請求項１または２に記載の配電盤扉。
【請求項４】
前記機器は非接触型スイッチである
ことを特徴とする請求項１〜３いずれか１項に記載の配電盤扉。
【発明の詳細な説明】
【技術分野】
【０００１】
本発明の実施形態は、配電盤扉に関する。
【背景技術】
【０００２】
従来、プラントやビルなどの電気設備に使用される配電盤の構造として、メータ、状態表示器、スイッチ等の機器が扉に取り付けられた配電盤扉がある。
【０００３】
この配電盤扉は、扉のパネルに穴あけ加工を施すことにより、各機器がとりつけられている。
【先行技術文献】
【特許文献】
【０００４】
【特許文献１】特開２００８−９９４９７号公報
【発明の概要】
【発明が解決しようとする課題】
【０００５】
しかしこのような配電盤扉は、作製時に穴あけ加工を施す工程が必要である、加工された穴の位置により機器の配置位置が固定されるため後から配置変更をすることが困難である、機器を追加する場合には新たな穴あけ加工を施す工程が必要である、等の問題がある。
【０００６】
本発明は上記事情に鑑みてなされたものであり、機器の取り付け、配置変換、および追加を容易に行うことが可能な配電盤扉を提供することを目的とする。
【課題を解決するための手段】
【０００７】
上記目的を達成するための実施形態によれば、筐体に取り付けられた配電盤扉は、透明なフロントパネルと、機器取付バーと、フレームと、マスクシートとを備える。機器取付バーは、棒状に形成され、横方向の任意の位置に機器を取り付け可能な状態とする。またフレームは、前記機器取付バーを縦方向の任意の位置で保持可能な状態で保持する縦方向可動機構を有する。またマスクシートは、前記フロントパネルと前記フレームとの間に、前記機器が取り付けられた箇所に対応する部分が切り抜き加工されて取り付けらている。これにより、機器の取り付け、配置変換、および追加を容易に行うことを可能とし、また、配電盤扉が閉状態のままでもメータやコントローラ等の機器内のモニタの表示を外部から視認可能な状態で取り付けることができる。
【図面の簡単な説明】
【０００８】
【図１】（ａ）は、一実施形態による配電盤扉を示す内側正面図であり、（ｂ）は、一実施形態による配電盤扉のＡ−Ａ断面における上側断面図である。
【図２】（ａ）は、一実施形態による配電盤扉のＣ字型の機器取付バーの外観斜視図であり、（ｂ）は、一実施形態による配電盤扉のＣ字型の機器取付バーの側面図であり、（ｃ）は、一実施形態による配電盤扉のコの字型の機器取付バーの側面図であり、（ｄ）は、一実施形態による配電盤扉のＬ字型の機器取付バーの側面図である。
【図３】一実施形態における配電盤扉を示す分解斜視図である。
【図４】（ａ）は、他の形態における配電盤扉を示す外観斜視図、（ｂ）は同じく側面図である。
【発明を実施するための形態】
【０００９】
本発明の一実施形態による配電盤扉の構成について、図１（ａ）、（ｂ）を参照して説明する。図１（ａ）は、本実施形態による配電盤扉１の内側正面図であり、図１（ｂ）は、本実施形態による配電盤扉のＡ−Ａ断面における上側断面図である。
【００１０】
本実施形態による配電盤扉１は、電気機器を収納した筐体（図示せず）に蝶番１１により取り付けられ、強化プラスチック等の透明素材のフロントパネル１３とそれに取り付けられる枠状のフレーム２とで形成されている。
【００１１】
このフレーム２の内面の左右両サイドには、縦方向の可動機構として、複数のスリット３がそれぞれ縦方向に形成されている。
【００１２】
また、この左右両サイドのスリット３の任意の位置に横方向の可動機構として、左右端がバー固定ネジ４で固定される複数の機器取付バー５が、横方向に取り付けられている。これらの機器取付バー５は、バー固定ネジ４を緩めることにより、スリット３上をスライドさせて上下方向に位置を変更させることが可能である。
【００１３】
また、任意の２本の機器取付バー５間の任意の位置に、上下端が機器固定ネジ６で固定されることで、メータ７、コントローラ８、状態表示器（図示せず）、スイッチ（図示せず）等の機器が取り付けられて保持されている。これらのメータ７、コントローラ８等の各機器は、機器固定ネジ６を緩めることにより、機器取付バー５上をスライドさせて左右方向に位置を変更させることが可能である。
【００１４】
機器取付バー５の拡大図を、図２に示す。図２（ａ）はＣ字型に形成された機器取付バー５の外観斜視図であり、（ｂ）はその側面図である。この機器取付バー５は、機器取付け側の面の中央部に横方向にスリット５１を有するとともに、Ｃ字型の横長形状により間隙５２が形成されている。
【００１５】
機器取付バー５は、機器取付け側の面に横方向にスリットを有していれば形状はＣ字型に限定されず、図２（ｃ）に示すようなコの字型、または図２（ｄ）に示すようなＬ字型の横長形状に形成されていてもよい。
【００１６】
機器取付バー５に機器を取り付けるときには、機器固定ネジ６が機器に形成された穴に貫通されてスリット５１に締め付けられることにより、機器が固定される。
【００１７】
この機器取付バー５の機器取付け側の面は、フレーム２の内側を向いていても外側を向いていてもよい。図１においては、メータ７は、機器取付け側の面が外側に向いている機器取付バー５に、メータ７本体の背中に埋め込まれたビスとナットの機器固定ネジ６によりバックマウント（背面取付）形式で取り付けられている。また、コントローラ８は、機器取付け側の面が内側に向いている機器取付けバー５に、ビスとナットの固定ネジ６によりコントローラの前面がフロントマウント（前面取付）形式で取り付けられている場合を示している。
【００１８】
なお、図１では、機器取付バー５は、開口側が扉の内側のフレーム２に取り付けられる場合を示しているが、Ｃ字型、またはコの字型の機器取付バー５では、これを裏返しにしてフレーム２に取り付けても良い。更に、開口側が扉の外側のフレーム２に取り付けられるようにしても良く、種々の構成の装着機器と、機器取付バーと、フレームとの組合せにより、多様な機器取り付け方式で配電盤扉を構成することができる。
【００１９】
このようにしてフレーム２に設置された機器取付バー５にメータ７、コントローラ８等の各種機器が取り付けられることにより、これらの機器を取り付ける際に基板となるフレームに穴あけ加工を施す必要がなくなる。また、機器を取り付けた後もこれらの機器を機器取付バー５上で左右方向に移動可能であるとともに、機器取付バー５をスリット３上で上下方向に移動可能であり、取り付けた機器の配置位置を容易に変更することができる。
【００２０】
そのため、フレーム２内に追加機器を取り付けるスペースが確保できる状態であれば、既に取り付けられた機器の配置位置を移動させて調整することにより、穴あけ加工等の工程や新たな扉を作成することなく、任意の機器取付バー５内の任意の位置に機器固定ネジ６で固定することにより容易に新たな機器を追加することができる。
【００２１】
また、基板となるフロントパネル１３を透明素材で構成したことにより、メータ７やコントローラ８のモニタ等を配電盤扉１の外側に向かって取り付けることで、配電盤扉１が閉状態のままでもモニタの表示を外部から視認することができる。
【００２２】
また図３に示すように、フレーム２の外側に、機器が取り付けられた箇所に対応する部分が切り抜き加工されたマスクシート１２をスペーサ１２１を挟んで取り付け、さらにその外側に透明素材のフロントパネル１３をスペーサ１３１を挟んで取り付ける（フロントパネル１３とフレーム２との間にマスクシート１２を取り付ける）ことで、所望の部分のみを外部から視認可能にすることができる。
【００２３】
さらに、機器取付バー５に機器としてスイッチを取り付ける場合に、このスイッチをマグネットスイッチ（磁気近接スイッチ）等の非接触型のスイッチにすることで、配電盤扉１が閉状態のままでも透明なフロントパネル１３を介して外部からスイッチの位置を認識しＯＮ／ＯＦＦ操作をすることができる。
【００２４】
また本実施形態の配電盤扉では外枠のフレーム２が強度部材となっており、フロントパネル１３を１枚の透明板にすることなく、複数の透明版で構成しても良く、扉の外観のバリエーションを増すことが可能である。またフロントパネル１３を設置せず、フレーム２に機器取付バー５を取り付けた配電盤扉を構成することも可能である。
【００２５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。
【００２６】
他の実施形態の例として、例えば図４に示す配電盤扉がある。図４（ａ）は、他の実施形態による配電盤扉の構造を示す外観斜視図であり、（ｂ）は同じく他の実施形態による配電盤扉の（ｂ）−（ｂ）側面図である。
【００２７】
上記実施形態において扉構造は、フロントパネル１３が副部品として図１に示された様な強度部材である「口」字状の枠のフレーム２に取り付けられる場合について説明した。これに対し、図４に示される他の実施形態の配電盤扉では前面を１枚の基板状の透明なフロントパネル１３を主部品として、それに左右２本の柱状のフレーム２を副部品として取り付けている。
【００２８】
この図４に示す配電盤扉は、フロントパネル１３自体が扉の強度部材となりそれに機器を取り付けるためのフレーム２が取り付けられるので、比較的小さくスペースが少ない配電盤扉に適している。
【００２９】
この実施形態やその変形は、発明の範囲や要旨に含まれるとともに、特許請求の範囲に記載された発明とその均等の範囲に含まれる。
【符号の説明】
【００３０】
１…配電盤扉
２…フレーム
３…スリット
４…バー固定ネジ
５…機器取付バー
６…機器固定ネジ
７…メータ
８…コントローラ
１１…蝶番
１２…マスクシート
１３…フロントパネル
５１…スリット
５２…間隙
【図１】
0005481313.tif 000002
【図２】
0005481313.tif 000003
【図３】
0005481313.tif 000004
【図４】
0005481313.tif 000005